(57)【要約】【課題】掻込スタ−ホイル上には藁屑や雑草などが多量に落下するため、特に従動側の掻込スタ−ホイル上では藁屑などが溜り易く、溜り量の増加によってこれらが軸に巻き付き掻込引継ぎ性能を低下させる問題がある。本発明は、掻込スタ−ホイル上での藁屑などの溜りをなくし、上記問題点を解消することにある。【解決手段】本発明は、刈取後の穀稈を後方に掻込搬送する掻込搬送装置と脱穀装置の脱穀フイ−ドチエンとの間に、掻込搬送後の穀稈を引き継いで後方上方へ揚上搬送して脱穀フイ−ドチエンに受け渡す引継ぎ搬送装置を設け、該引継ぎ搬送装置の始端部には左右一対の掻込スタ−ホイルを噛合回転可能に軸架させて設け、少なくとも従動側における掻込スタ−ホイルの上面を円錐形に構成してあることを特徴とする。【選択図】        図４
2004159586.tif 000002
【特許請求の範囲】
【請求項１】
刈取後の穀稈を後方に掻込搬送する掻込搬送装置と脱穀装置の脱穀フイ−ドチエンとの間に、掻込搬送後の穀稈を引き継いで後方上方へ揚上搬送して脱穀フイ−ドチエンに受け渡す引継ぎ搬送装置を設け、該引継ぎ搬送装置の始端部には左右一対の掻込スタ−ホイルを噛合回転可能に軸架させて設け、少なくとも従動側における掻込スタ−ホイルの上面を円錐形に構成してあることを特徴とするコンバインの刈取搬送装置。
【請求項２】
前記従動側の掻込スタ−ホイルは、この回転周側の掻込歯が駆動側掻込スタ−ホイルとの噛合部で起立し、非噛合部では倒伏するように構成してあることを特徴とする請求項１に記載のコンバインの刈取搬送装置。
【発明の詳細な説明】
【０００１】
【発明の属する技術分野】
本発明は、コンバインの刈取搬送装置に関し、農業機械の技術分野に属する。
【０００２】
【従来の技術】
従来、刈取後の穀稈を後方に掻込搬送する掻込搬送装置と脱穀装置の脱穀フイ−ドチエンとの間に、掻込搬送後の穀稈を引き継いで後方上方に揚上搬送し脱穀フイ−ドチエンの始端部に受け渡す引継ぎ搬送装置を設け、そして、この引継ぎ搬送装置の始端部に左右一対の掻込スタ−ホイルを設けて引継ぎ搬送の確実、容易化を図るようにした構成のものがある（例えば、特許文献１参照。）。
【０００３】
【特許文献１】
特開平９−１６８３２５号公報
【０００４】
【発明が解決しようとする課題】
掻込スタ−ホイル上には藁屑や雑草などが多量に落下する。特に従動側の掻込スタ−ホイル上では藁屑などが溜り易く、この溜り量の増加によってこれが軸に巻き付くなどして掻込引継ぎ性能を低下させる問題があった。
【０００５】
本発明は、掻込スタ−ホイル上での藁屑などの溜りをなくし、上記問題点を解消することにある。
この発明は、上記目的達成のため、次のような技術的手段を講じた。
【０００６】
【課題を解決するための手段】
すなわち、上記課題解決のために、請求項１に記載した発明は、刈取後の穀稈を後方に掻込搬送する掻込搬送装置と脱穀装置の脱穀フイ−ドチエンとの間に、掻込搬送後の穀稈を引き継いで後方上方へ揚上搬送して脱穀フイ−ドチエンに受け渡す引継ぎ搬送装置を設け、該引継ぎ搬送装置の始端部には左右一対の掻込スタ−ホイルを噛合回転可能に軸架させて設け、少なくとも従動側における掻込スタ−ホイルの上面を円錐形に構成してあることを特徴とする。
【０００７】
従動側掻込スタ−ホイル上に落下してくる藁屑などは、このスタ−ホイル上面が円錐形になっているため、外周方向に滑落し下方に落下する。従って、スタ−ホイル上での藁溜りを防止でき、ひいては藁屑などの巻き付きや詰りなどのトラブルを未然に防ぐことができる。
【０００８】
請求項２に記載した発明は、前記請求項１において、従動側の掻込スタ−ホイルは、この回転周側の掻込歯が駆動側掻込スタ−ホイルとの噛合部で起立し、非噛合部では倒伏するように構成してあることを特徴とする。
穀稈引継ぎ時の掻込に際しては、従動側掻込スタ−ホイルの掻込歯が駆動側掻込スタ−ホイルとの噛合部で起立するので、両スタ−ホイルによって穀稈を所期通り確実に掻込搬送することができ、そして、その穀稈の掻込後は、その掻込歯が回転方向後方に向けて倒伏することになるので、穀稈の持ち回りがなくなり、巻き付きを防止することができる。
【０００９】
【発明の効果】
請求項１に記載の発明によれば、従動側掻込スタ−ホイルの上面を円錐形状に構成してあるので、スタ−ホイル上での藁溜りがなくなり、藁屑などの巻き付きや藁詰りなどのトラブルを未然に防止することができ、掻込引継ぎ性能をより高めることができる。
【００１０】
請求項２に記載の発明によれば、特に、従動側掻込スタ−ホイルの掻込歯が駆動側掻込スタ−ホイルとの噛合部で起立し、非噛合部では倒伏するので、前記請求項１に記載の発明の効果に加えて、掻込後における穀稈の持ち回りがなくなり、スタ−ホイル軸への巻き付きを確実に防止することができる。
【００１１】
【発明の実施の形態】
まず、１実施態様としてコンバインの構成例について説明する。
走行車体１は、接地部側に走行クロ−ラ２、２を有し、上部には脱穀フイ−ドチエン３を有する脱穀装置４を搭載している。そして、走行車体１の前方には、穀稈を引起し刈取って前記脱穀装置４に搬送供給する刈取部５を昇降可能に装備している。この刈取部５は、圃場に植立する穀稈を左右に分草する分草体６、分草後の穀稈を株元側から穂先側に作用させて引起す引起し装置７、引起し後の穀稈を刈り取るバリカン式刈刃装置８、刈取後の穀稈を後方に掻込搬送する掻込搬送装置９、掻込搬送後の穀稈を引き継いで揚上搬送して前記脱穀装置４の脱穀フイ−ドチエン３に受渡し供給する引継ぎ搬送装置１０等からなり、車体１に対し横方向に架設された横軸部を支点として上下回動する刈取支持フレ−ム１１によって支持され、油圧により伸縮する刈取昇降シリンダ−１２によって昇降する構成としている。
【００１２】
刈取部５の横側部には運転部１３が設置され、この運転部１３の後方で脱穀装置４の横側部にはグレンタンク１４が搭載されている。運転部１３は前側の操作ボックス１３ａやう後側の運転席１３ｂ等からなる。
前記掻込搬送装置９は、掻込ベルト１５ａや掻込回転体１５ｂを有する掻込装置１５と、掻込後の穀稈株元部を挟持して所定距離後方に搬送する株元挟持搬送装置１６とからなる。
【００１３】
前記引継ぎ搬送装置１０は、穀稈の株元側を挟持搬送する株元引継搬送装置１７と穀稈の穂先側を係止搬送する穂先引継搬送装置１８とからなり、両搬送装置１７，１８をＵ字型支持杆１９を介して連結保持し、始端側が終端側を支点として上下動する構成であり、穀稈の長短に応じて挟持位置を変更し、脱穀装置への扱ぎ深さを任意に調節できる構成としている。
【００１４】
前記株元引継搬送装置１７の始端部には、株元搬送チエン２０始端のスプロケット２２から上方に延出したスプロケット軸２３に駆動側掻込スタ−ホイル２４を軸架させて設け、この駆動側掻込スタ−ホイル２４に噛合して従動回転する従動側掻込スタ−ホイル２５を前記Ｕ字型支持杆１９側から突設した支持ア−ム２６に軸受させて設け、これら両掻込スタ−ホイル２４，２５の噛合回転によって掻込搬送装置９からの穀稈を引き継いで掻込搬送すべく構成している。なお、前記株元搬送チエン２０に対設する挟持杆２１は挟持杆支持部材２７を介して前記Ｕ字型支持杆１９に支持させた構成としている。
【００１５】
そして、前記従動側掻込スタ−ホイル２５には、その上面中央部を円錐形状に形成すべく円錐案内体２８を設けることにより、上方から落下してくる藁屑などをスタ−ホイルの外周側に向けて案内落下させるように構成している。このスタ−ホイル２５と円錐案内体２８とは別体構成でもよいが、実施例のように一体成形とするのが望ましくコスト的にも有利である。従って、実施例では、この円錐案内体２８を前記支持ア−ム２６と一体のホイル軸２９に軸受させると共に、フランジ３０を介して取付できる構成としている。
【００１６】
図７〜図１１に示す掻込スタ−ホイルは次のような構成になっている。駆動側掻込スタ−ホイル２４に対する従動側掻込スタ−ホイル２５は、ホイル軸２９回りに回転する回転盤体３１と、この回転盤体３１に枢着されてピン軸３２回りに起伏自在の掻込歯３３とからなり、そして、この掻込歯３３は、基部の起立摺動部３３ａがガイド部材３４に沿って摺接移動するときに起立し、ガイド部材３４から離脱すると回転方向後方に向けて倒伏するようになっており、しかも、これは駆動側掻込スタ−ホイル２４との噛合部においてのみ起立する構成であり、これを除く非噛合部においては倒伏可能な構成としている。
【００１７】
また、掻込歯３３の起立摺動部３３ａは、図９、図１０に示すように、二股３３ａ１，３３ｂ２状に構成し、回転盤体３１を上下両面から挟むようにして取り付けるようにすると、起立時における掻込歯の横振れや捻れを規制することができて掻込作用が安定する。また、更に図１１に示すように、掻込スタ−ホイル２５の掻込歯３３が引起し装置７の引起しギヤケ−ス３５を過ぎた位置から起立するように構成しておくと、それだけ掻込歯を引起しラグの移動経路に近づかせることができ、引起し作用後の穀稈を素早く的確に掻き込むことができる。
【００１８】
前記引起し装置７は、前後に分割可能に構成された引起しケ−ス３６と、この引起しケ−ス３６内上部に架設された引起し駆動スプロケット３７と引起しケ−スの下部に架設された従動輪体３８との間に券回された引起しラグ３９付引起しチエン４０とからなり、刈刃装置８の後方に横架された刈取伝動ケ−ス４１内の伝動軸から引起し伝動パイプ４２内の引起し伝動軸４３を介して回転駆動する構成である。
【００１９】
図１２〜図１４に示す引起し装置の実施例では、引起しケ−スの前面にフロントカバ−４４が設けられ、引起しラグ３９の上昇側における引起し経路の後方側には引起し後の穀稈を後方の引継搬送装置１０側に向けて案内するガイド板４５とガイドラバ−体４６が設けられている。また、引起しラグ３９の下降側における非引起し経路側には引起しラグを上向き倒伏状態で下降案内する防音ラバ−体４７が設けられている。そして、前記ガイドラバ−体４６と防音ラバ−体４７とは、引起しギヤケ−ス３５や引起し伝動パイプ４２を上方から覆うべく設けられる被覆ラバ−体４８を介して一体化すると共に、締付具４９によりガイド板４５と引起しケ−ス３６とに止着する構成としている。これによって、部品点数の低減化を図ることができ、引起しギヤケ−ス３５や引起し伝動パイプ４２への藁屑などの溜りを防止することができる。
【００２０】
また、図１５〜図１８に示す実施例は、３条刈用引起し装置７Ｌ，７Ｃ，７Ｒのうち、操作ボックス１３ａの前側に位置する右引起し装置７Ｒを簡単に着脱できる構成としたものである。
すなわち、右引起し装置７Ｒの下端側は、ケ−ス３６側に固着の取付ステ−５１に設けた係止突起５２と、分草支持杆５０側から上方に突設の支持ステ−５３に設けた係合孔５４との嵌合により分草支持杆５０側に係止する構成とし、そして、該右引起し装置７Ｒの上端側は、引起し伝動ケ−ス４２及び該ケ−ス４２内の引起し伝動軸４３を途中部から分割して、上部伝動ケ−ス４２ａ及び下部伝動ケ−ス４２ｂと、上部伝動軸４３ａ及び下部伝動軸４３ｂとからなるように構成し、上下伝動軸４３ａ，４３ｂは対向側端部をスプライン軸としカップリング５５を介して嵌脱自在に嵌合できる構成とすると共に、上下伝動ケ−ス４２ａ，４２ｂは、上部伝動ケ−ス４２ａ側に設けた係止ピン５６と下部伝動ケ−ス４２ｂ側に設けた係合パイプ５７を嵌脱自在に嵌入できる構成とし、上下の両伝動ケ−ス４２ａ，４２ｂを接合分離自在とし、そして、接合時は上部伝動ケ−ス４２ａが抜け外れないようにノブボルト５８によって締付固定する構成としている。
【００２１】
以上のように右引起し装置７Ｒを刈取部に対して簡単に着脱することができるので、操作ボックス内の点検整備が容易に行える。また、走行ミッションの点検が刈取部全体を取り外さなくとも容易にできる。しかも、刈取搬送部周辺の清掃も簡単に行うことができる。
【００２２】
また、更に、図１９〜図２２に示す実施例は、３条刈用引起し装置７Ｌ，７Ｃ，７Ｒのうち、中央に位置する中引起し装置７Ｃを簡単に着脱できる構成としたものである。
すなわち、中引起し装置７Ｃの下端側は、刈取伝動ケ−ス４１から前方に向けて延出する引起し伝動ケ−ス４２及び該ケ−ス４２内の引起し伝動軸４３を途中部から分割して、前部伝動ケ−ス４２ａ及び後部伝動ケ−ス４２ｂと、前部伝動軸４３ａ及び後部伝動軸４３ｂとからなるように構成し、前後伝動軸４３ａ，４３ｂは対向側端部をスプライン軸としカップリング５５を介して嵌脱自在に嵌合できる構成とすると共に、前後伝動ケ−ス４２ａ，４２ｂは、前部伝動ケ−ス４２ａ側に設けた係合パイプ５７と後部伝動ケ−ス４２ｂ側に設けた係止ピン５６を嵌脱自在に嵌入できる構成とし、前後の両伝動ケ−ス４２ａ，４２ｂを接合分離自在とし、そして、接合時は前部伝動ケ−ス４２ａが抜け外れないようにノブボルト５８によって係止ピン５６と係合パイプ５７とをロックする構成としている。そして、該中引起し装置７Ｃの上端側は、各引起し装置７Ｒ，７Ｃ，７Ｌの上部を連結支持する引起し連結フレ−ム５９に設けた取付孔６０とケ−ス３６側に固着の取付部材６１に設けた取付孔６２とにノブボルト６３をねじ込んで固定する構成としている。
【００２３】
刈取後の穀稈を後方に掻込むスタ−ホイルや株元挟持搬送装置等の掻込搬送装置に穀稈や雑草が巻き付いて詰りを生じると、前側の引起し装置が邪魔になって巻き付いた穀稈や雑草の取り除きが困難である。そのため、引起し装置の取付、取外しが簡単にできると、掻込搬送部での穀稈詰りなどによるトラブルの解消が容易となる。特に、上記実施例のように中引起し装置７Ｃを取り外すと、掻込搬送部の前方に大きな空間ができて整備作業がし易くなり、稈の詰りなどの除去も容易にできる。
【００２４】
図２３及び図２４に示す実施例について説明する。かかる実施例は引継搬送装置の株元側引継搬送装置１７の一部の構成例を示すものであるが、通常、株元搬送チエン２０の内周部空間内には該チエンの内周部を摺接案内するチエンガイドプレ−ト６４が設けられている。そして、該チエンガイドプレ−ト６４は、この始端側端部６４ａを始端側ほど上向きとなるよう傾斜状（傾斜角θ）に設けることによってゴミ溜りを防止するようにしている。特に、回転する搬送チエンがプレ−ト先端の傾斜方向に沿ってゴミを掻き出すようになり、一層のゴミ溜り防止効果が得られる。
【図面の簡単な説明】
【図１】本発明の実施例であって、コンバインの側面図である。
【図２】本発明の実施例であって、コンバインの平面図である。
【図３】本発明の実施例であって、コンバインの正面図である。
【図４】本発明の実施例であって、同上要部の正面図である。
【図５】本発明の実施例であって、同上要部の平面図である。
【図６】本発明の実施例であって、同上要部の斜視図である。
【図７】本発明の実施例であって、掻込スタ−ホイルの斜視図である。
【図８】本発明の実施例であって、同上要部の平面図である。
【図９】本発明の実施例であって、同上要部の側面図である。
【図１０】本発明の実施例であって、同上要部の斜視図である。
【図１１】本発明の実施例であって、刈取搬送部の要部平面図である。
【図１２】本発明の実施例であって、引起し装置の正面図である。
【図１３】本発明の実施例であって、同上側面図である。
【図１４】本発明の実施例であって、同上要部の切断平面図である。
【図１５】本発明の実施例であって、コンバイン要部の正面図である。
【図１６】本発明の実施例であって、刈取部要部の側面図である。
【図１７】本発明の実施例であって、同上一部の斜視図である。
【図１８】本発明の実施例であって、同上一部の斜視図である。
【図１９】本発明の実施例であって、コンバイン要部の正面図である。
【図２０】本発明の実施例であって、同上要部の側面図である。
【図２１】本発明の実施例であって、同上要部の斜視図である。
【図２２】本発明の実施例であって、同上要部の斜視図である。
【図２３】本発明の実施例であって、引継搬送装置の要部の平面図である。
【図２４】本発明の実施例であって、同上要部の側面図である。
【符号の説明】
１    走行車体                      ２    走行クロ−ラ
３    脱穀フイ−ドチエン            ４    脱穀装置
５    刈取部                        ６    分草体
７    引起し装置                    ８    刈刃装置
９    掻込搬送装置                １０    引継搬送装置
１５    掻込装置                    １６    株元挟持搬送装置
１７    株元引継搬送装置−          １８    穂先引継搬送装置
１９    Ｕ字型支持杆                ２０    株元搬送チエン
２１    挟持杆                      ２２    スプロケット
２３    スプロケット軸              ２４    駆動側掻込スタ−ホイル
２５    従動側掻込スタ−ホイル      ２６    支持ア−ム
２７    挟持杆支持部材              ２８    円錐案内体
２９    ホイル軸                    ３０    フランジ
３１    掻込盤体                    ３２    ピン軸
３３    掻込歯                      ３４    ガイド部材
【図１】
2004159586.tif 000003
【図２】
2004159586.tif 000004
【図３】
2004159586.tif 000005
【図４】
2004159586.tif 000006
【図５】
2004159586.tif 000007
【図６】
2004159586.tif 000008
【図７】
2004159586.tif 000009
【図８】
2004159586.tif 000010
【図９】
2004159586.tif 000011
【図１０】
2004159586.tif 000012
【図１１】
2004159586.tif 000013
【図１２】
2004159586.tif 000014
【図１３】
2004159586.tif 000015
【図１４】
2004159586.tif 000016
【図１５】
2004159586.tif 000017
【図１６】
2004159586.tif 000018
【図１７】
2004159586.tif 000019
【図１８】
2004159586.tif 000020
【図１９】
2004159586.tif 000021
【図２０】
2004159586.tif 000022
【図２１】
2004159586.tif 000023
【図２２】
2004159586.tif 000024
【図２３】
2004159586.tif 000025
【図２４】
2004159586.tif 000026